【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
空気分離装置で製造した粗ＡｒガスをＡｒ精製装置にて高純度Ａｒガスに精製して上吹き、底吹きまたは上底吹き転炉に供給する高純度Ａｒガス供給系と、
前記空気分離装置で製造した粗Ａｒガスを前記Ａｒ精製装置を迂回してその下流側に供給する粗Ａｒガス供給系と、
前記高純度Ａｒガス供給系内の前記Ａｒ精製装置よりも下流側に配置されて、該系内を流れる高純度Ａｒガスの流量を調整する遠隔操作可能な第１の流調弁と、
前記粗Ａｒガス供給系内に設けられて、該系内を流れる粗Ａｒガスの流量を調整する遠隔操作可能な第２の流調弁と、
前記高純度Ａｒガス供給系内に設けられて、該系内を流れる高純度Ａｒガスの流量を検出する第１の流量計と、
前記粗Ａｒガス供給系内に設けられて、該系内を流れる粗Ａｒガスの流量を検出する第２の流量計と、
前記粗Ａｒガス供給系と前記高純度Ａｒガス供給系との接続点よりも下流側に配置されて、粗Ａｒガスと高純度Ａｒガスの混合Ａｒガス中の不純物窒素濃度を測定する第１のガスクロマトグラフと、
前記粗Ａｒガス供給系内に設けられて、粗Ａｒガス中の不純物窒素濃度を測定する第２のガスクロマトグラフと、
前記第１及び第２の流量計により検出された各ガス流量と前記第１及び第２のガスクロマトグラフにより測定された各不純物窒素濃度とに基づいて、前記混合Ａｒガス中の不純物窒素濃度が設定窒素濃度となるように、前記第１及び第２の流調弁を制御して、粗Ａｒガス流量と高純度Ａｒガス流量を調整する流調弁制御装置と、
を備えることを特徴とする転炉吹錬用Ａｒガスの供給設備。
【請求項２】
粗Ａｒガスが高純度Ａｒガス供給系内に逆流するのを阻止する逆止弁を設けたことを特徴とする請求項１記載の転炉吹錬用Ａｒガスの供給設備。
【請求項３】
前記高純度Ａｒガス供給系内の前記逆止弁の前後に、それぞれリーク防止弁を設置するとともに、上流側に位置するリーク防止弁と前記逆止弁との間に、ブロー用の配管を接続し、該ブロー用配管の途中にブロー弁を設けたことを特徴とする請求項２記載の転炉吹錬用Ａｒガスの供給設備。
【請求項４】
請求項１乃至請求項３のいずれかに記載の転炉吹錬用Ａｒガスの供給設備を用いた転炉吹錬用Ａｒガスの供給方法。
【請求項５】
溶鋼を脱炭するために上吹き、底吹きまたは上底吹き転炉の吹錬中に酸素ガスとＡｒガスを供給する際の転炉吹錬用Ａｒガスの供給方法において、
転炉吹錬後の溶鋼成分の窒素濃度の要求レベルに応じた不純物窒素濃度の設定値となるように、粗Ａｒガスとこれと混合されて使用される高純度Ａｒガスの各流量を調整することを特徴とする転炉吹錬用Ａｒガスの供給方法。
【請求項６】
粗Ａｒガスは、Ａｒガス中の不純物窒素濃度が10ppm以上、高純度Ａｒガスは、Ａｒガス中の不純物窒素濃度が10ppm以下であることを特徴とする請求項５記載の転炉吹錬用Ａｒガスの供給方法。
【請求項７】
粗Ａｒガス中の不純物窒素濃度と、該粗Ａｒガスと高純度Ａｒガスの混合Ａｒガス中の不純物窒素濃度を、それぞれ測定するとともに、粗Ａｒガス流量と高純度Ａｒガス流量をそれぞれ検出して、これら不純物窒素濃度の測定値とガス流量の検出値に基づいて、前記混合Ａｒガス中の不純物窒素濃度が設定不純物窒素濃度となるように、粗Ａｒガス流量と高純度Ａｒガス流量を調整することを特徴とする請求項５又は請求項６記載の転炉吹錬用Ａｒガスの供給方法。
【手続補正２】
【補正対象書類名】明細書
【補正対象項目名】発明の名称
【補正方法】変更
【補正の内容】
【発明の名称】転炉吹錬用Ａｒガスの供給設備および転炉吹錬用Ａｒガスの供給方法
【手続補正３】
【補正対象書類名】明細書
【補正対象項目名】０００１
【補正方法】変更
【補正の内容】
【０００１】
本発明は、転炉の吹錬工程で使用されるＡｒガスの純度を、溶鋼の要求品質に応じて変更可能な転炉吹錬Ａｒガスの供給設備および転炉吹錬用Ａｒガスの供給方法に関する。
【手続補正４】
【補正対象書類名】明細書
【補正対象項目名】００１０
【補正方法】変更
【補正の内容】
【００１０】
また、請求項３に係る転炉吹錬用Ａｒガスの供給設備は、高純度Ａｒガス供給系内の前記逆止弁の前後に、それぞれリーク防止弁を設置するとともに、上流側に位置するリーク防止弁と逆止弁との間に、ブロー用の配管を接続し、ブロー用配管の途中にブロー弁を設けたものである。
本発明の請求項４に係る転炉吹錬用Ａｒガスの供給方法は、請求項１乃至請求項３に記載の転炉吹錬用Ａｒガスの供給設備を用いて転炉吹錬用Ａｒガスを供給することを特徴としている。
また、請求項５に係る転炉吹錬用Ａｒガスの供給方法は、溶鋼を脱炭するために上吹き、底吹きまたは上底吹き転炉の吹錬中に酸素ガスとＡｒガスを供給する際に、転炉吹錬後の溶鋼成分の窒素濃度の要求レベルに応じた不純物窒素濃度の設定値となるように、粗Ａｒガスとこれと混合されて使用される高純度Ａｒガスの各流量を調整することを特徴としている。
また、請求項６に係る転炉吹錬用Ａｒガスの供給方法は、粗Ａｒガスとして、Ａｒガス中の不純物窒素濃度が10ppm以上、高純度Ａｒガスとして、Ａｒガス中の不純物窒素濃度が10ppm以下のものを使用することを特徴としている。
また、請求項７に係る転炉吹錬用Ａｒガスの供給方法は、粗Ａｒガス中の不純物窒素濃度と、該粗Ａｒガスと高純度Ａｒガスの混合Ａｒガス中の不純物窒素濃度を、それぞれ測定するとともに、粗Ａｒガス流量と高純度Ａｒガス流量をそれぞれ検出して、これら不純物窒素濃度の測定値とガス流量の検出値に基づいて、前記混合Ａｒガス中の不純物窒素濃度が設定不純物窒素濃度となるように、粗Ａｒガス流量と高純度Ａｒガス流量を調整することを特徴としている。
【手続補正５】
【補正対象書類名】明細書
【補正対象項目名】００１３
【補正方法】変更
【補正の内容】
【００１３】
また、請求項３の転炉吹錬用Ａｒガスの供給設備によれば、高純度Ａｒガス供給系内の前記逆止弁の前後に、それぞれリーク防止弁を設置するとともに、上流側に位置するリーク防止弁と逆止弁との間に、ブロー用の配管を接続し、ブロー用配管の途中にブロー弁を設けたので、高純度Ａｒガス供給系内の圧力が粗Ａｒガス供給系内の圧力より下がって逆止弁から粗Ａｒガスがリークするようなことがあっても、リーク防止弁によって逆流を阻止することができる。更に、逆止弁からリークした粗Ａｒガスは、ブロー弁を開くことでブローすることができる。
請求項４乃至請求項７の転炉吹錬用Ａｒガスの供給方法においても、精製アルゴン消費量が抑制され、Ａｒガス精製に消費するエネルギを低減することができる。
【手続補正６】
【補正対象書類名】明細書
【補正対象項目名】００１４
【補正方法】変更
【補正の内容】
【００１４】
以下、図示実施形態に基づき本発明の転炉吹錬用Ａｒガスの供給設備および転炉吹錬用Ａｒガスの供給方法について説明する。図１は本発明に係る転炉吹錬用Ａｒガスの供給設備を示すもので、Ａｒガスの流れを実線で、各種信号の流れを破線で、それぞれ示してある。
【手続補正７】
【補正対象書類名】明細書
【補正対象項目名】００３３
【補正方法】変更
【補正の内容】
【００３３】
このように、本実施形態の転炉吹錬用Ａｒガスの供給設備および転炉吹錬用Ａｒガスの供給方法においては、溶鋼の要求品質に応じて粗Ａｒガスと高純度Ａｒガスが混合されて使用される。このため、精製アルゴン消費量が抑制され、Ａｒガス精製に消費するエネルギを低減することができる。
【手続補正８】
【補正対象書類名】明細書
【補正対象項目名】００３６
【補正方法】変更
【補正の内容】
【００３６】
【図１】本発明の転炉吹錬用Ａｒガスの供給設備および転炉吹錬用Ａｒガスの供給方法を説明するためののシステム構成図である。